【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
サーバ装置からコンテンツを受信して再生可能な第１及び第２の再生装置が有線又は無線で接続されたコンテンツ再生システムであって：
前記第１の再生装置は、
前記サーバ装置又は前記第２の再生装置とデータ通信する第１の通信部と；
前記第１の通信部により前記サーバ装置から受信したコンテンツを一時記憶する第１の記憶媒体と；
前記第１の記憶媒体に一時記憶された前記コンテンツを再生する第１の再生部と；
前記第１の再生部による前記コンテンツの再生中に、前記コンテンツを前記第１の再生装置と前記第２の再生装置とで同期再生させるための同期再生指示を受け付けると、前記コンテンツに関する情報と、前記コンテンツの再生経過時間に所定の付加時間を加えた同期再生開始時間を表す情報とを、前記第１の通信部により前記第２の再生装置に送信し、前記第２の再生装置から、前記コンテンツの再生準備が完了したことを表す再生準備完了通知を前記第１の通信部により受信した後に、前記コンテンツの再生経過時間が前記同期再生開始時間になったときに、前記コンテンツの再生開始指示を前記第１の通信部により前記第２の再生装置に送信するよう制御する第１の同期再生制御部と；
を備え、
前記第２の再生装置は、
前記サーバ装置又は前記第１の再生装置とデータ通信する第２の通信部と；
前記第２の通信部により前記サーバ装置から受信したコンテンツを一時記憶する第２の記憶媒体と；
前記第２の記憶媒体に一時記憶されたコンテンツを再生する第２の再生部と；
前記第１の再生装置から、前記第１の再生装置で再生中の前記コンテンツに関する情報と、前記同期再生開始時間を表す情報とを前記第２の通信部により受信し、前記コンテンツに関する情報に基づき、前記サーバ装置から前記コンテンツの前記同期再生開始時間以降のデータを受信開始して前記第２の記憶媒体に一時記憶し、所定のデータ量以上の前記コンテンツのデータが前記第２の記憶媒体に一時記憶された後に、前記再生準備完了通知を前記第２の通信部により前記第１の再生装置に送信し、前記再生準備完了通知の送信後に、前記第１の再生装置から前記再生開始指示を前記第２の通信部により受信したときに、前記第２の記憶媒体に一時記憶された前記コンテンツの前記同期再生開始時間以降のデータを前記第２の再生部により再生開始するよう制御する第２の同期再生制御部と；
を備えることを特徴とする、コンテンツ再生システム。
【請求項２】
サーバ装置又は他の再生装置とデータ通信する通信部と；
前記通信部により前記サーバ装置から受信したコンテンツを一時記憶する記憶媒体と；
前記記憶媒体に一時記憶されたコンテンツを再生する再生部と；
前記再生部による前記コンテンツの再生中に、前記コンテンツを前記再生装置と前記他の再生装置とで同期再生させるための同期再生指示を受け付けると、前記コンテンツに関する情報と、前記コンテンツの再生経過時間に所定の付加時間を加えた同期再生開始時間を表す情報とを、前記通信部により前記他の再生装置に送信し、前記他の再生装置から、前記コンテンツの再生準備が完了したことを表す再生準備完了通知を前記通信部により受信した後に、前記コンテンツの再生経過時間が前記同期再生開始時間になったときに、前記コンテンツの再生開始指示を前記通信部により前記他の再生装置に送信するよう制御する同期再生制御部と；
を備えることを特徴とする、再生装置。
【請求項３】
前記同期再生制御部は、
前記同期再生指示の受け付けに応じて、前記再生装置に接続された１又は２以上の他の再生装置に、同期再生に参加する再生装置を探索するための探索情報を前記通信部により送信し、
前記他の再生装置から、同期再生への参加を表す参加応答を前記通信部により受信したときに、前記参加応答の送信元の前記他の再生装置に、前記再生装置で再生中の前記コンテンツに関する情報と前記同期再生開始時間を表す情報とを前記通信部により送信するよう制御することを特徴とする、請求項２に記載の再生装置。
【請求項４】
前記同期再生制御部は、
前記再生装置と他の第１の再生装置とが同一のコンテンツを同期再生しているときに、他の第２の再生装置から、同期再生への参加を要求する参加要求を前記通信部により受信すると、同期再生中の前記コンテンツに関する情報と、当該コンテンツの再生経過時間に所定の付加時間を加えた同期再生開始時間を表す情報とを、前記通信部により前記他の第２の再生装置に送信し
前記他の第２の再生装置から、前記コンテンツの再生準備が完了したことを表す再生準備完了通知を前記通信部により受信し、
前記再生準備完了通知の受信後に、前記コンテンツの再生経過時間が前記同期再生開始時間になったときに、前記コンテンツの再生開始指示を前記通信部により前記他の第２の再生装置に送信するよう制御することを特徴とする、請求項２に記載の再生装置。
【請求項５】
前記同期再生制御部は、
前記再生装置と前記他の再生装置とが同一のコンテンツを同期再生しているときに、前記再生部による前記コンテンツの再生が終了すると、前記コンテンツの次に再生するコンテンツに関する情報を前記他の再生装置に前記通信部により送信し、
前記サーバ装置から前記次のコンテンツを前記通信部により受信開始して前記記憶媒体に一時記憶し、
前記他の再生装置から、前記次のコンテンツの再生準備が完了したことを表す再生準備完了通知を前記通信部により受信した後に、前記次のコンテンツの再生開始指示を前記通信部により前記他の再生装置に送信するとともに、前記記憶媒体に一時記憶された前記次のコンテンツを前記再生部により再生開始するよう制御することを特徴とする、請求項２に記載の再生装置。
【請求項６】
前記同期再生制御部は、
前記再生装置と前記他の再生装置とが同一のコンテンツを同期再生している際に、前記他の再生装置に前記コンテンツの再生経過時間を要求し、当該要求に応じて、前記他の再生装置から前記他の再生装置における再生経過時間を表す情報を前記通信部により受信し、
前記他の再生装置における再生経過時間と、前記再生装置における再生経過時間とを比較し、
前記他の再生装置における再生経過時間と、前記再生装置における再生経過時間とが所定時間以上異なる場合に、前記コンテンツの再生停止指示を前記通信部により前記他の再生装置に送信し、
前記再生停止指示の送信後に、前記再生装置における前記コンテンツの再生経過時間を新たに取得し、当該再生経過時間に前記所定の付加時間を加えた同期再生開始時間を表す情報を、前記通信部により前記他の再生装置に送信し、
前記他の再生装置から、前記コンテンツの再生準備が完了したことを表す再生準備完了通知を前記通信部により受信した後に、前記再生装置における前記コンテンツの再生経過時間が前記同期再生開始時間になったときに、前記コンテンツの再生開始指示を前記通信部により前記他の再生装置に送信するよう制御することを特徴とする、請求項２に記載の再生装置。
【請求項７】
前記同期再生指示の受け付けに応じて、前記再生装置の再生制御モードを、前記他の再生装置におけるコンテンツの再生を制御するマスターモードに設定するモード設定部を備えることを特徴とする、請求項２に記載の再生装置。
【請求項８】
サーバ装置又は他の再生装置とデータ通信する通信部と；
前記通信部により前記サーバ装置から受信したコンテンツを一時記憶する記憶媒体と；
前記記憶媒体に一時記憶された前記コンテンツを再生する再生部と；
前記他の再生装置から、当該他の再生装置で再生中のコンテンツに関する情報と、当該コンテンツの再生経過時間に所定の付加時間を加えた同期再生開始時間を表す情報とを前記通信部により受信し、前記コンテンツに関する情報に基づき、前記サーバ装置から前記コンテンツの前記同期再生開始時間以降のデータを受信開始して前記記憶媒体に一時記憶し、所定のデータ量以上の前記コンテンツのデータが前記記憶媒体に一時記憶された後に、前記コンテンツの再生準備が完了したことを示す再生準備完了通知を前記通信部により前記他の再生装置に送信し、前記再生準備完了通知の送信後に、前記他の再生装置から前記コンテンツの再生開始指示を受信したときに、前記記憶媒体に一時記憶された前記コンテンツの前記同期再生開始時間以降のデータを前記再生部により再生開始するよう制御する同期再生制御部と；
を備えることを特徴とする、再生装置。
【請求項９】
前記同期再生制御部は、
前記他の再生装置から、同期再生に参加する再生装置を探索するための探索情報を前記通信部により受信し、
予め設定された設定情報に基づき、前記他の再生装置との同期再生を許可するか否かを判断し、
当該同期再生を許可する場合には、前記他の再生装置との同期再生への参加を表す参加応答を前記通信部により前記他の再生装置に送信するよう制御することを特徴とする、請求項８に記載の再生装置。
【請求項１０】
前記同期再生制御部は、
２以上の他の再生装置が同一のコンテンツを同期再生しており、前記再生装置が再生停止中であるときに、前記コンテンツを前記再生装置と前記他の再生装置とで同期再生させるための同期再生指示を受け付けると、同期再生への参加を要求する参加要求を前記通信部により前記他の再生装置に送信するよう制御することを特徴とする、請求項８に記載の再生装置。
【請求項１１】
前記同期再生制御部は、
前記再生装置と前記他の再生装置とが同一のコンテンツを同期再生している際に、前記コンテンツの再生が終了すると、前記他の再生装置から前記コンテンツの次に再生するコンテンツに関する情報を前記通信部により受信し、
前記サーバ装置から前記次のコンテンツを前記通信部により受信開始して前記記憶媒体に一時記憶し、所定のデータ量以上の前記次のコンテンツのデータが前記記憶媒体に一時記憶された後に、前記次のコンテンツの再生準備が完了したことを示す再生準備完了通知を前記通信部により前記他の再生装置に送信し、
前記再生準備完了通知の送信後に、前記他の再生装置から再生開始指示を受信したときに、前記記憶媒体に一時記憶された前記次のコンテンツを前記再生部により再生開始するよう制御することを特徴とする、請求項８に記載の再生装置。
【請求項１２】
前記同期再生制御部は、
前記再生装置と前記他の再生装置とが同一のコンテンツを同期再生している際に、前記他の再生装置からの要求に応じて、前記再生装置における前記コンテンツの再生経過時間を表す情報を前記通信部により前記他の再生装置に送信し、
前記他の再生装置における再生経過時間と、前記再生装置における再生経過時間とが所定時間以上異なる場合に、前記他の再生装置から、前記コンテンツの再生停止指示を前記通信部により受信し、
前記再生停止指示の受信に応じて、前記コンテンツの再生を停止し、
前記他の再生装置から、前記他の再生装置で再生中のコンテンツの再生経過時間に前記所定の付加時間を加えた同期再生開始時間を表す情報を前記通信部により受信し、
前記サーバ装置から前記コンテンツの前記同期再生開始時間以降のデータを前記通信部により受信開始して前記記憶媒体に一時記憶し、
前記所定のデータ量以上の前記コンテンツのデータが前記記憶媒体に一時記憶された後に、前記コンテンツの再生準備が完了したことを示す再生準備完了通知を前記通信部により前記他の再生装置に送信し、
前記再生準備完了通知の送信後に、前記他の再生装置から再生開始指示を前記通信部により受信したときに、前記記憶媒体に一時記憶された前記コンテンツの前記同期再生開始時間以降のデータを前記再生部により再生開始するよう制御することを特徴とする、請求項８に記載の再生装置。
【請求項１３】
前記同期再生を許可した場合に、前記再生装置の再生制御モードを、前記他の再生装置によってコンテンツの再生が制御されるスレーブモードに設定するモード設定部をさらに備えることを特徴とする、請求項９に記載の再生装置。
【請求項１４】
少なくとも１以上の他の再生装置と同期して、サーバ装置から受信したコンテンツを再生する再生装置における再生制御方法であって：
前記サーバ装置からコンテンツを受信しながら、前記コンテンツを再生する再生ステップと；
前記コンテンツの再生中に、前記コンテンツを前記再生装置と前記他の再生装置とで同期再生させるための同期再生指示を受け付けると、前記コンテンツに関する情報と、前記コンテンツの再生経過時間に所定の付加時間を加えた同期再生開始時間を表す情報とを、前記他の再生装置に送信する第１同期再生開始時間送信ステップと；
前記他の再生装置から、前記コンテンツの再生準備が完了したことを表す再生準備完了通知を受信する第１再生準備完了通知受信ステップと；
前記再生準備完了通知の受信後に、前記コンテンツの再生経過時間が前記同期再生開始時間になったときに、前記コンテンツの再生開始指示を前記他の再生装置に送信する第１再生開始指示送信ステップと；
を含むことを特徴とする、再生制御方法。
【請求項１５】
少なくとも１以上の他の再生装置と同期して、サーバ装置から受信したコンテンツを再生する再生装置における再生制御方法であって：
前記他の再生装置から、当該他の再生装置で再生中のコンテンツに関する情報と、前記コンテンツの再生経過時間に所定の付加時間を加えた同期再生開始時間を表す情報とを受信する第１同期再生開始時間受信ステップと；
前記コンテンツに関する情報に基づき、前記サーバ装置から前記コンテンツの前記同期再生開始時間以降のデータを受信開始して記憶媒体に一時記憶する第１コンテンツ受信ステップと；
所定のデータ量以上の前記コンテンツのデータが前記記憶媒体に一時記憶された後に、前記コンテンツの再生準備が完了したことを示す再生準備完了通知を前記他の再生装置に送信する第１再生準備完了通知送信ステップと；
前記再生準備完了通知の送信後に、前記他の再生装置から前記コンテンツの再生開始指示を受信したときに、前記記憶媒体に一時記憶された前記コンテンツの前記同期再生開始時間以降のデータを再生開始する第１再生開始ステップと；
を含むことを特徴とする、再生制御方法。
【請求項１６】
少なくとも１以上の他の再生装置と同期して、サーバ装置から受信したコンテンツを再生する再生装置を制御するコンピュータに：
前記サーバ装置からコンテンツを受信しながら、前記コンテンツを再生する再生ステップと；
前記コンテンツの再生中に、前記コンテンツを前記再生装置と前記他の再生装置とで同期再生させるための同期再生指示を受け付けると、前記コンテンツに関する情報と、前記コンテンツの再生経過時間に所定の付加時間を加えた同期再生開始時間を表す情報とを、前記他の再生装置に送信する第１同期再生開始時間送信ステップと；
前記他の再生装置から、前記コンテンツの再生準備が完了したことを表す再生準備完了通知を受信する第１再生準備完了通知受信ステップと；
前記再生準備完了通知の受信後に、前記コンテンツの再生経過時間が前記同期再生開始時間になったときに、前記コンテンツの再生開始指示を前記他の再生装置に送信する第１再生開始指示送信ステップと；
を実行させるためのプログラム。
【請求項１７】
少なくとも１以上の他の再生装置と同期して、サーバ装置から受信したコンテンツを再生する再生装置を制御するコンピュータに：
前記他の再生装置から、当該他の再生装置で再生中のコンテンツに関する情報と、前記コンテンツの再生経過時間に所定の付加時間を加えた同期再生開始時間を表す情報とを受信する第１同期再生開始時間受信ステップと；
前記コンテンツに関する情報に基づき、前記サーバ装置から前記コンテンツの前記同期再生開始時間以降のデータを受信開始して記憶媒体に一時記憶する第１コンテンツ受信ステップと；
所定のデータ量以上の前記コンテンツのデータが前記記憶媒体に一時記憶された後に、前記コンテンツの再生準備が完了したことを示す再生準備完了通知を前記他の再生装置に送信する第１再生準備完了通知送信ステップと；
前記再生準備完了通知の送信後に、前記他の再生装置から前記コンテンツの再生開始指示を受信したときに、前記記憶媒体に一時記憶された前記コンテンツの前記同期再生開始時間以降のデータを再生開始する第１再生開始ステップと；
を実行させるためのプログラム。